(57)【特許請求の範囲】
【請求項１】
底板上に立設された仕切り板により形成され電動送風機が設置される送風室及び圧縮機が搭載される機械室と、
前記底板の背面側から送風室の側面側にかけて設置されるとともに、コーナ部が円弧状に形成されたほぼＬ字状の熱交換器と、
前記熱交換器の上端部に嵌合される嵌合部を有し、前記底板上に立設されて前記電動送風機が取付けられる送風機取付板と、
複数の通気穴と上端部に天板受け部を有し、前記熱交換器のコーナ部の外形に対応した円弧状に形成され、該熱交換器のコーナ部の外周に設置されて外郭の一部を構成する網部材と、
上端部に天面板を有し、上部が前記送風機取付板に固定され、前記送風室内の前記熱交換器の前記コーナ部の近傍にて前記底板上に立設された支柱と、
前面パネルと、
側面パネルと、
前記熱交換器、前面パネル及び側面パネルによって形成された上面開口部に装着された天板とを有し、
前記送風機取付板の前記嵌合部、前記網部材の前記天板受け部、及び前記支柱の前記天面板の各上面は、同一平面上に位置し、これら嵌合部、天板受け部、及び天面板のうちの少なくとも２つと前記天板とが固定されており、前記送風機取付板、前記網部材、及び前記支柱により前記天板が支持されていることを特徴とする室外ユニット。
【請求項２】
前記支柱は、前記電動送風機のプロペラの近傍の断面形状がほぼ円形状又は流線形状に形成されていることを特徴とする請求項１記載の室外ユニット。
【発明の詳細な説明】
【技術分野】
【０００１】
本発明は、空気調和機やヒートポンプ給湯器の室外ユニットに関するものである。
【背景技術】
【０００２】
従来の室外ユニットのキャビネットに、前面板及び背面板の下縁部に対向して延設した鍔部を設けると共に、底板にこの鍔部を両側から押える押え部を設け、押え部により前面板及び背面板を保持するように構成して両側面に対向して側面板を設け、組立、サービス性の向上、及び倉庫における段積みや輸送時に上部からの荷重を支持するために、キャビネットの強度の増大をはかったものがある（例えば、特許文献１参照）。
【０００３】
また、空気調和機の梱包にあたり、段積みや輸送時において上部からの荷重を支持するために、上下の段ボールの間に木材からなる複数の柱（補強材）を設けたものがある（例えば、特許文献２参照）。
【０００４】
【特許文献１】特開昭５８−９２７６５号公報（第２−３頁、第１−３図）
【特許文献２】実公平３−６４２５３号公報（第４−８頁、第１−２図）
【発明の開示】
【発明が解決しようとする課題】
【０００５】
特許文献１の室外ユニットのキャビネットは、外郭の四辺を鋼板からなる前面板、背面板及び両側板で構成したので強度を増大することができるが、外観上いかにもごつく見えて意匠的にも好ましくなく、また、重量が大となるため、段積み時や輸送時、さらには据付時の作業性が悪いという問題があった。
【０００６】
また、特許文献２の空気調和機は、軽量で手荷役が容易であるが、梱包のための材料費が嵩み、また、梱包や開梱作業に手間がかかるばかりでなく、開梱時に多くの廃棄物が生じ、さらに、室外ユニットの据付後は補強材が無くなるため、強度が低下するおそれがあるという問題があった。
【０００７】
本発明は、上記の課題を解決するためになされたもので外観上すっきりしたシンプルな構成で、軽量で梱包や開梱さらには据付作業が容易であり、段積み時や輸送時における上部からの荷重を確実に支持することのできる室外ユニットを提供することを目的としたものである。
【課題を解決するための手段】
【０００８】
本発明に係る室外ユニットは、底板上に立設された仕切り板により形成され電動送風機が設置される送風室及び圧縮機が搭載される機械室と、前記底板の背面側から送風室の側面側にかけて設置されるとともに、コーナ部が円弧状に形成されたほぼＬ字状の熱交換器と、前記熱交換器の上端部に嵌合される嵌合部を有し、前記底板上に立設されて前記電動送風機が取付けられる送風機取付板と、複数の通気穴と上端部に天板受け部を有し、前記熱交換器のコーナ部の外形に対応した円弧状に形成され、該熱交換器のコーナ部の外周に設置されて外郭の一部を構成する網部材と、上端部に天面板を有し、上部が前記送風機取付板に固定され、前記送風室内の前記熱交換器の前記コーナ部の近傍にて前記底板上に立設された支柱と、前面パネルと、側面パネルと、前記熱交換器、前面パネル及び側面パネルによって形成された上面開口部に装着された天板とを有し、前記送風機取付板の前記嵌合部、前記網部材の前記天板受け部、及び前記支柱の前記天面板の各上面は、同一平面上に位置し、これら嵌合部、天板受け部、及び天面板のうちの少なくとも２つと前記天板とが固定されており、前記送風機取付板、前記網部材、及び前記支柱により前記天板が支持されているものである。
【発明の効果】
【０００９】
本発明によれば、軽量で梱包や開梱さらには据付作業が容易であり、また、強度を高めることができるので、特別な補強材を用いることなく、段積み時や輸送時における上部からの荷重を確実に支持することのできる意匠的にすぐれた室外ユニットを得ることができる。特に、上方からの荷重に対して比較的強度の低い熱交換器のコーナ部の近傍を、熱交換器のコーナ部の外周に設けた網部材、及び送風室内の熱交換器の前記コーナ部の近傍に設けた支柱により補強して天板を支持するようにしているので、これらの部分の強度を高めることができ、段積み時や輸送時における上部からの荷重をより確実に支持することができる。
【発明を実施するための最良の形態】
【００１０】
［実施の形態１］
図１は本発明の実施の形態１に係る室外ユニットの天板を取り外した状態の平面図、図２は図１の室外ユニットの前面パネルを取り外した状態の正面図、図３は一部を省略した図１の室外ユニットの分解斜視図、図４は図１の室外ユニットの前面側外観斜視図、図５は図４の背面側外観斜視図である。
【００１１】
室外ユニット１は、底板２及び外郭３を有し、内部は仕切り板４によって分割され、一方の側には送風室５が、他方の側には機械室６が設けられている。外郭３は、前面側に吹込みグリル７ａを有し、側面に複数の通気穴７ｂが設けられた前面パネル７、ほぼＬ字状の側面パネル８、天板９及び後述の網部材１０によって構成されている。また、底板２の背面側から送風室５の側面側にかけて、コーナ部１１ａが円弧状に形成されたほぼＬ字状の熱交換器１１が設置されている。
【００１２】
１０は例えば樹脂材からなり、熱交換器１１のコーナ部１１ａの外形に対応した円弧状に形成されて複数の通気穴１０ａ（図５）が設けられ、熱交換器１１のコーナ部１１ａの外周に設置された網状の部材（以下、網部材という）で、外郭３の一部を構成している。なお、網部材１０の上端部には天板受け部１０ｂが設けられている。
【００１３】
１２は送風室５内において、上端部に設けたねじ穴を有する嵌合部１２ａが熱交換器１１の上端部に嵌合されて、底板２上に立設された送風機取付板で、電動送風機１３が取付けられている。１４は送風室５内の熱交換器１１のコーナ部１１ａの近傍において、底板２上に立設され、上部が送風機取付板１２に固定された支柱で、上端部にはねじ穴を有する天面板１４ａが設けられている。
１５は機械室６内において、底板２に搭載された圧縮機である。
【００１４】
次に、上記のように構成した室外ユニット１の組立手順の一例について説明する。
先ず、底板２上に仕切り板４を立設し、その下端部を底板２に固定する。ついで、底板２上に熱交換器１１を載置し、底板２及び仕切り板４に固定し、また、機械室６に圧縮機１５を設置する。次に、送風機取付板１２の上端部に設けた嵌合部１２ａを熱交換器１１の上端部に嵌合し、下端部を底板に固定して電動送風機１３を取付ける。また、上端部に天面板１４ａを有する支柱１４を底板２上に立設し、下端部を底板２に固定し上部を送風機取付板１２に固定する。
【００１５】
この状態で、側面パネル８を、機械室６の側面から背面にかけて配置し、底板２と熱交換器１１に固定する。また、前面パネル７を、前面から送風室５の側面（熱交換器１１の側面部１１ｂの外側）にかけて配置し、一端を側面パネル８の端部と突き合わせて、底板２と仕切り板４に固定する。
次に、網部材１０を熱交換器１１のコーナ部１１ａの外周面に当接し、その天板受け部１０ａを熱交換器１１の上端部上に位置させ、一端を前面パネル７の他端と突き合わせて、底板２に固定する。このとき、網部材１０の天板受け部１０ａ、送風機取付板１２の嵌合部１２ａ、及び支柱１４の天面板１４ａの各上面は、同一平面上に位置する。
【００１６】
最後に、前面パネル７、側面パネル８及び網部材１０上に天板９を載置し、その下面に設けた嵌合溝（図示せず）を、前面パネル７及び側面パネル８の上端部に嵌合すると共に、網部材１０の天板受け部１０ａ、送風機取付板１２の嵌合部１２ａ、及び支柱１４の天面板１４ａに当接する。そして、送風機取付板１２の嵌合部１２ａと支柱１４の天面板１４ａのねじ穴に、天板９に設けたねじ挿通穴（図示せず）に挿通したねじを螺入し、固定する。なお、天板９を前面パネル７及び側面パネル８にねじで固定してもよく、また、網部材１０の天板受け部１０ａにもねじで固定してもよい。
これにより、室外ユニット１の組立が終了する。なお、上記の組立手順はその一例を示すもので、これに限定するものではない。
【００１７】
本実施の形態によれば、外郭３を前面パネル７、側面パネル８、網部材１０及び天板９で構成したので、軽量であるばかりでなく、すっきりした外観で意匠的にすぐれた室外ユニット１を得ることができる。
また、上方からの荷重に対して比較的強度の低い送風室５の背面側角部（熱交換器１１のコーナ部１１ａの近傍）を、熱交換器１１のコーナ部１１ａの外周に設けた網部材１０、及び送風室５に設けた支柱１４により補強して天板９を支持するようにしたので、これらの部分、したがって室外ユニット１の強度を高めることができ、段積み時や輸送時における上部からの荷重を確実に支持することができる。
【００１８】
さらに、上記のように室外ユニット１を軽量化したので、段積み、輸送、さらには据付作業が容易になる。
また、上記のように室外ユニット１の強度を高めることができたので、梱包に際して特別な補強材を使用する必要がない。そのため、梱包材を削減できてコストを低減できるばかりでなく、据付時の廃棄物を減らすことができ、梱包、開梱、据付の作業性を向上することができる。
【００１９】
［実施の形態２］
本実施の形態は、送風室５に設けた支柱１４の電動送風機１３のプロペラの近傍の断面形状を、ほぼ円形状又は流線形状に形成したものである。
これにより、電動送風機１３による風の流れを整流することができる。
【００２０】
上記の説明では、図示の室外ユニットに本発明を実施した場合を示したが、これに限定するものではなく、他の構造の室外ユニットにも本発明を実施することができる。
【図面の簡単な説明】
【００２１】
【図１】本発明の実施の形態１に係る室外ユニットの天板を取り外した状態の平面図である。
【図２】図１の室外ユニットの前面パネルを取り外した状態の正面図である。
【図３】一部を省略した図１の室外ユニットの分解斜視図である。
【図４】図１の室外ユニットの前面側外観斜視図である。
【図５】図４の室外ユニットの背面側外観斜視図である。
【符号の説明】
【００２２】
１  室外ユニット、２  底板、３  外郭、４  仕切り板、５  送風室、６  機械室、７  前面パネル、７ａ  通気穴、８  側面パネル、９  天板、１０  網部材、１０ａ  通気穴、１１  熱交換器、１１ａ  コーナ部、１２  送風機取付板、１３  電動送風機、１４  支柱、１４ａ  天面板、１５  圧縮機。
【図１】
0005084555.tif 000002
【図２】
0005084555.tif 000003
【図３】
0005084555.tif 000004
【図４】
0005084555.tif 000005
【図５】
0005084555.tif 000006